(57)【要約】【課題】スピーカの小型化、薄型化が困難であった。【解決手段】振動板９の上面を覆うプロテクタ１と、振動板９の外径の内側の領域内に、コイル接点バネ収納部２ａを有し、島状の半田付け端子１１（リードフレーム）を埋設し、底面に放音孔３を形成したベースカバー２と、ベースカバー２に挿嵌されたフレーム４で形成される本体内部に、ヨーク５、励磁コイル６、磁石７、トッププレート８、振動板９等の発音部材と、ベースカバー２の下面から外部に突出するコイル接点バネ１０などが配設され、コイル接点バネ１０は、ストレートの接点部１０ａを水平方向に形成し、コイル接点バネ収納部２ａに挿着する。一対の半田付け端子１１に、コイル接点バネ１０の接点部１０ａと、振動板９から回し込んだ励磁コイル６のコイル端末６ａとを半田１２で半田付けして接続する。スピーカの小型化、薄型化が可能になる。【選択図】      図４
2004177624.tif 000002
【特許請求の範囲】
【請求項１】
上面カバーとベースカバーとの間に、励磁コイル、磁石、振動板等の要素部品を収納し、前記励磁コイルの端末を結線し、外部との接続を図るための外部接続端子としての一対のコイル接点バネを、前記ベースカバーのコイル接点バネ収納部に下面側から挿入し、前記コイル接点バネの接点部と前記励磁コイルの端末をリードフレームに半田等の固着手段で接続し、コイル接点バネの電極端子部がベースカバーの下面から突出する電気音響変換器において、前記一対のコイル接点バネは、ストレートの接点部を水平方向に形成し、前記振動板外径の内側の領域内で、前記べースカバーに形成されたコイル接点バネ収納部に挿着し、一対のリードフレームの接続端子は、前記振動板外径の内側の領域内で、前記ベースカバーに島状に埋設し、前記島状に埋設されたリードフレームの接続端子に、前記水平方向に延出したコイル接点バネの接点部と、前記振動板から回し込んだ励磁コイルのコイル端末とを同一個所で半田付け等の固着手段で接続したことを特徴とする電気音響変換器。
【発明の詳細な説明】
【０００１】
【発明の属する技術分野】
本発明は、電磁石で振動板を振動させることにより発音する電気音響変換器（電磁型発音体）に係わり、特に、プリント基板等に実装する際に小型、薄型構造を具備した電気音響変換器に関する。
【０００２】
【従来の技術】
近年の小型電子部品の表面実装化に伴い、小型ブザーである電磁発音体をプリント基板に直接実装する表面実装型が主流になり、携帯電話等の移動体通信機器に組み込まれる導電型スピーカ及び多機能型スピーカに多く使用されている。従来の電磁発音体は、振動板外径の外側にコイル接点バネが設けられており、また、コイルバネの接点部（ストレート部）が垂直に延びている（例えば、特許文献１参照。）。
【０００３】
【特許文献１】
特開２００１−３０６０７７号公報（第４頁、第５図、第６図）
【０００４】
図５は、従来の電磁型発音体の上カバーと振動板を取り除いた状態の平面図（図６のＢ−Ｂ線断面図）、図６は、図５のＡ−Ａ線断面図である。図５及び図６において、電磁型発音体の構成について説明する。２０はケース本体で、上面カバー２１とベースカバー２２とで、その側面に放音孔２３を有するように形成される。２４は、ベースカバー２２の中央部に組み込まれた磁性材料からなるヨークであり、その中央にはセンターコア２４ａが、外周の一部には切り欠き部２４ｂが形成されている。２５は、前記センターコア２４ａを囲むように配設された励磁コイルである。２６は、ヨーク２４上の励磁コイル２５の外側に配設された円環状の磁石であり、前記センターコア２４ａの切り欠き部２４ｂに対応した切り欠き部を有している。２７はステンレス材などよりなる薄い円板状の振動板であり、前記ベースカバー２２の上面側に固着されている。
【０００５】
２８は、振動板２７の中央部に固着した磁性材からなる円板状の磁励片である。２９は、ベースカバー２２にインサートモールドで埋設されたれ励磁コイル２５の巻き線端末と外部接続端子とを接続するリードフレームである。その一端がヨーク２４の切り欠き部２４ｂにおいて上方に露出して端部２９ａをなし、他端はベースカバー２２の外側に形成された一対のコイルバネ収納部２２ｂ内に露出している。励磁コイル２５の巻き線端末２５ａは端部２９ａにおいて半田付け等で電気的に接続されている。３０は、コイルバネ収納部２２ｂに挿入された外部接続端子としてのコイル接点バネであり、コイル接点バネ３０の接点部３０ａは端部２９ｂに半田付け等で電気的に接続され、外部接続用の電極端子部３０ｂは外部に突出している。前記コイルバネ収納部２２ｂは振動板２７の外径の外側に形成されている。
【０００６】
以上述べた構成のブザーの作用について説明する。コイル接点バネ３０を通して信号電流を印加すると、コイルが励磁されたヨーク２４、磁石２６、励磁片２８を通る磁気回路が形成されて、励磁片２８がセンターコア２４ａに吸引される。振動板２７が振動して発音し、上カバー２１と振動板２７との隙間である共鳴室から放音孔２３と通って外へ放出される。
【０００７】
【発明が解決しようとする課題】
しかしながら、前述した電磁型発音体には次のような問題点がある。即ち、コイル接点バネが振動板外径の外側に設けられているので、小型化ができない。
【０００８】
また、コイル接点バネの接点部（ストレート部）が垂直に延びているため、薄型化ができない等の問題があった。
【０００９】
本発明は上記した従来の課題に鑑みなされたものであり、その目的は、小型化、薄型化の可能な電気音響変換器を提供するものである。
【００１０】
【課題を解決するための手段】
上記目的を達成するために、本発明の電気音響変換器は、上面カバーとベースカバーとの間に、励磁コイル、磁石、振動板等の要素部品を収納し、前記励磁コイルの端末を結線し、外部との接続を図るための外部接続端子としての一対のコイル接点バネを、前記べースカバーのコイル接点バネ収納部に下面側から挿入し、前記コイル接点バネの接点部と前記励磁コイルの端末をリードフレームに半田等の固着手段で接続し、コイル接点バネの電極端子部がベースカバーの下面から突出する電気音響変換器において、前記一対のコイル接点バネは、ストレートの接点部を水平方向に形成し、前記振動板外径の内側の領域内で、前記べースカバーに形成されたコイル接点バネ収納部に挿着し、一対のリードフレームの接続端子は、前記振動板外径の内側の領域内で、前記べースカバーに島状に埋設し、前記島状に埋設された一対のリードフレームの接続端子に、前記水平方向に延出したコイル接点バネの接点部と、前記振動板から回し込んだ励磁コイルのコイル端末とを同一個所で半田付け等固着手段で接続したことを特徴とするものである。
【００１１】
【発明の実施の形態】
以下図面に基づいて本発明における電気音響変換器（電磁型発音体）について説明する。図１〜図４は、本発明の実施の形態である電磁型発音体に係わり、図１は、電磁型発音体の平面図。図２は、図１のＣ−Ｃ線断面図。図３は、図２の裏面図。図４は、図３のＤ−Ｄ線拡大断面図である。
【００１２】
図１、図２において、電磁型発音体は、振動板９の上面を覆うプロテクタ１と、振動板外径の内側の領域内に、コイル接点バネ収納部２ａと、島状の半田付け端子１１（リードフレーム）を埋設し、底面に放音孔３を形成したベースカバー２と、前記プロテクタ１を嵌着し、ベースカバー２に挿嵌したフレーム４と、前記プロテクタ１、ベースカバー２、フレーム４で形成される本体内部に、前記ベースカバー２に嵌着したヨーク５、励磁コイル６、磁石７、トッププレート８、振動板９等の発音部材と、ベースカバー２の下面から外部に突出するコイル接点バネ１０などで構成される。
【００１３】
図３、図４において、従来技術で説明したと電磁型発音体と異なるところは、前記一対のコイル接点バネ収納部２ａは、ベースカバー２の内周に近く振動板９の外径の内側の領域内に形成されている。また、ベースカバー２の前記領域内に、後述するコイル接点バネ１０の接点部１０ａと、励磁コイル６のコイル端末６ａとを同一個所で半田付け等の固着手段で接続する一対の島状の半田付け端子１１（リードフレーム）を、射出成形法により埋設されている。また、前記ベースカバー２の一部に、一対のコイル接点バネ収納部２ａと、島状の半田付け端子１１が視認できる露出部２ｂが形成されている。前記固着手段は、半田付けに限るものではなく、溶接、圧着等で接続しても良い。
【００１４】
図４において、前記コイル接点バネ１０の形状は、接点部１０ａ（ストレート部）が、従来はバネの伸縮方向に延出していたが、本実施の形態では、ストレート部をバネの伸縮方向に垂直に、バネの巻回した端部から水平に延出されている。前記接点部１０ａの反対側に外部接続用の電極端子部１０ｂが形成されていて、上記したように、コイル接点バネ１０をコイル接点バネ収納部２ａに挿着し、半田付けした状態では、前記電極端子部１０ｂはベースカバー２の下面から外部に突出している。
【００１５】
前記励磁コイル６のコイル端末６ａは、図４に示すように、一端を横に出して振動板９から回り込んで、前記島状の半田付け端子１１の上まで延出する。そして、前記島状の半田付け端子１１において、前記コイル接点バネ１０の接点部１０ａと、励磁コイル６のコイル端末６ａとを同一個所で半田１２で半田付けして接続するものである。接点部１０ａとコイル端末６ａとは半田付け端子１１上で安定した状態で確実に支持・固定される。前記半田付け端子１１上でのコイル端末６ａとコイル接点バネ１０の接点部１０ａとの接続は、接続手段により、一緒に同時に接続するか、２工程で別々に接続しても良い。
【００１６】
上記構成による電磁型発音体の作用効果について説明する。前述したように、前記振動板９の外径の内側の領域内において、前記ベースカバー２に形成されたコイル接点バネ収納部２ａに、コイル接点バネ１０に水平に形成された接点部１０ａが、島状の半田付け端子１１の上に載るように挿入する。同時に、励磁コイル６の一端を横に出して振動板９から回り込んだコイル端末６ａが、島状の半田付け端子１１の上に載るように引出し、同一個所で半田１２により半田付けすることにより、従来、コイル接点バネ１０は振動板９の外側に配設されていたが、本実施の形態では振動板９の内側に配設するので、スピーカの小型化ができる。
【００１７】
また、コイル接点バネ１０の接点部１０ａを水平にして半田付けすることにより、スピーカの薄型化ができる。更に、半田付け箇所が、従来は、励磁コイル端末とリードフレーム、コイル接点バネの接点部とリードフレームの２ヶ所であったが、本実施の形態では島状の半田付け端子１１上で、磁気コイル６のコイル端末６ａと、コイル接点バネ１０の接点部１０ａを１ヶ所で半田付けするので、半田付け工数が半減できる。
【００１８】
【発明の効果】
以上説明したことから明らかのように、本発明によれば、コイル接点バネを振動板の外径より内側の領域に配設することにより、スピーカの小型化が可能である。また、コイル接点バネの接点部を水平に形成することにより、スピーカの薄型化が可能である。更に、振動板の外径より内側の領域において、島状の半田付け端子上で励磁コイル端末とコイル接点バネの接点部を１ヶ所で一緒に半田付けすることにより、半田付け工程が半減し、且つ、安定した状態で確実に支持・固定される。以上述べたように、小型化、薄型化の可能な電気音響変換器を提供することが可能である。
【図面の簡単な説明】
【図１】本発明の実施の形態に係わる電磁型発音体の平面図である。
【図２】図１のＣ−Ｃ線断面図である。
【図３】図２の裏面図である。
【図４】図３のＤ−Ｄ線拡大断面図である。
【図５】従来の電磁型発音体の上カバーと振動板を取り除いた状態の平面図（図６のＢ−Ｂ線断面図）である。
【図６】図５のＡ−Ａ線断面図である。
【符号の説明】
１  プロテクタ
２  ベースカバー
２ａ  コイル接点バネ収納部
２ｂ  露出部
４  フレーム
５  ヨーク
６  励磁コイル
６ａ  コイル端末
７  磁石
８  トッププレート
９  振動板
１０  コイル接点バネ
１０ａ  接点部
１０ｂ  電極端子部
１１  半田付け端子（リードフレーム）
１２  半田
【図１】
2004177624.tif 000003
【図２】
2004177624.tif 000004
【図３】
2004177624.tif 000005
【図４】
2004177624.tif 000006
【図５】
2004177624.tif 000007
【図６】
2004177624.tif 000008